【手続補正書】
【提出日】平成20年5月16日(2008.5.16)
【手続補正１】
【補正対象書類名】特許請求の範囲
【補正対象項目名】全文
【補正方法】変更
【補正の内容】
【特許請求の範囲】
【請求項１】
入力された動画像信号を符号化する符号化手段と、
前記入力された動画像信号に係る動画像の複雑度を算出する複雑度算出手段と、
前記複雑度算出手段により算出された複雑度の情報を用いて前記符号化手段が符号化を行う第１の符号化モードと、前記複雑度の情報を用いることなく前記符号化手段が符号化を行う第２の符号化モードとを切り替える符号化モード切り替え手段とを有することを特徴とする画像処理装置。
【請求項２】
前記符号化手段から出力される符号化動画像信号の符号化レートを任意に設定するレート設定手段を備え、
前記符号化モード切り替え手段は、前記レート設定手段により設定された符号化レートに応じて前記第１の符号化モードと第２の符号化モードとを切り替えることを特徴とする請求項１に記載の画像処理装置。
【請求項３】
前記レート設定手段は、第１のデータレートと、前記第１のデータレートよりも低い第２のデータレートとの間で前記符号化レートを設定可能であり、
前記符号化モード切り替え手段は、前記第１のデータレートが設定された場合には前記第１の符号化モードを選択し、前記第２のデータレートが選択された場合には前記第２の符号化モードを選択することを特徴とする請求項２に記載の画像処理装置。
【請求項４】
前記符号化モード切り替え手段は、前記符号化手段から出力される符号化動画像信号のデータレートが前記レート設定手段により設定された符号化レートとなるように前記第１の符号化モードまたは第２の符号化モードを選択することを特徴とする請求項２に記載の画像処理装置。
【請求項５】
前記符号化モード切り替え手段は、前記設定された符号化レートが所定のレートよりも低い場合には前記第２の符号化モードを選択することを特徴とする請求項２に記載の画像処理装置。
【請求項６】
前記符号化手段より出力された符号化動画像信号の符号量を算出する符号量算出手段を備え、
前記符号化モード切り替え手段は、前記符号量算出手段により算出された符号量に基づいて前記第１の符号化モードと第２の符号化モードとを切り替えることを特徴とする請求項１に記載の画像処理装置。
【請求項７】
前記符号化手段は、前記入力された動画像信号の各フレームを複数のブロックに分割し、ブロック毎に参照フレームの画像信号との間の予測誤差を求める予測手段と、前記予測手段の出力を直交変換して直交変換係数を求める直交変換手段と、量子化コードを設定する量子化コード設定手段と、前記直交変換手段により求めた直交変換係数を前記量子化コード設定手段で設定された量子化スケール値で量子化して量子化係数を出力する量子化手段と、前記量子化係数を可変長符号化する可変長符号化手段とを有し、
前記量子化コード設定手段は、前記フレーム内におけるブロック毎に前記量子化スケール値を変更することにより各ブロックの符号量を調整することを特徴とする請求項１に記載の画像処理装置。
【請求項８】
前記複雑度算出手段は、前記動画像信号における空間的な周波数成分情報、ノイズ成分情報、フレーム間変化情報、またはフレーム間動きベクトル情報のうち、少なくとも一つを用いて前記複雑度を算出することを特徴とする請求項１〜７の何れか１項に記載の画像処理装置。
【請求項９】
前記符号化手段から出力された符号化動画像信号を記録媒体に記録する記録手段を備えたことを特徴とする請求項１〜８の何れか１項に記載の画像処理装置。
【請求項１０】
入力された動画像信号における各画面に対する割り当て符号量を動的に変化させながら前記動画像信号を符号化する符号化手段と、
前記動画像信号に係る動画像の複雑度を算出する複雑度算出手段と、
前記符号化手段から出力された符号化動画像信号の発生符号量を算出する符号量算出手段と、
前記複雑度算出手段により算出された複雑度の情報を用いて前記符号化手段が符号化を行う第１の符号化モードと、前記複雑度の情報を用いることなく前記符号化手段が符号化を行う第２の符号化モードとを切り替える符号化モード切り替え手段とを有し、
前記符号化モード切り替え手段は、前記符号量算出手段の出力に基づいて前記第１の符号化モードと第２の符号化モードとを切り替えることを特徴とする画像処理装置。
【請求項１１】
前記符号化モード切り替え手段は、前記符号量算出手段により算出された符号量が所定値以上の場合前記第１の符号化モードを選択し、前記所定値よりも小さい場合には前記第２の符号化モードを選択することを特徴とする請求項１０に記載の画像処理装置。
【請求項１２】
入力された動画像信号を符号化する符号化手段と、
前記符号化手段から出力される符号化動画像信号の符号化レートを複数のレートの間で設定するレート設定手段と、
前記動画像信号に係る動画像の複雑度を算出する複雑度算出手段と、
前記符号化手段から出力された符号化動画像信号の発生符号量を算出する符号量算出手段と、
前記複雑度算出手段により算出された複雑度の情報を用いて前記符号化手段が符号化を行う第１の符号化モードと、前記複雑度の情報を用いることなく前記符号化手段が符号化を行う第２の符号化モードとを切り替える符号化モード切り替え手段とを有し、
前記符号化モード切り替え手段は、前記レート設定手段により設定された符号化レート、前記複雑度算出手段により算出された複雑度の情報及び前記符号量算出手段により算出された発生符号量に基づいて前記第１の符号化モードと第２の符号化モードとを切り替えることを特徴とする画像処理装置。
【手続補正２】
【補正対象書類名】明細書
【補正対象項目名】発明の名称
【補正方法】変更
【補正の内容】
【発明の名称】画像処理装置
【手続補正３】
【補正対象書類名】明細書
【補正対象項目名】０００１
【補正方法】変更
【補正の内容】
【０００１】
本発明は画像処理装置に関し、特に、動画像信号を符号化処理するために用いて好適な技術に関する。
【手続補正４】
【補正対象書類名】明細書
【補正対象項目名】０００９
【補正方法】変更
【補正の内容】
【０００９】
本発明の画像処理装置は、入力された動画像信号を符号化する符号化手段と、前記入力された動画像信号に係る動画像の複雑度を算出する複雑度算出手段と、前記複雑度算出手段により算出された複雑度の情報を用いて前記符号化手段が符号化を行う第１の符号化モードと、前記複雑度の情報を用いることなく前記符号化手段が符号化を行う第２の符号化モードとを切り替える符号化モード切り替え手段とを有することを特徴とする。
また、本発明の画像処理装置の他の特徴とするところは、入力された動画像信号における各画面に対する割り当て符号量を動的に変化させながら前記動画像信号を符号化する符号化手段と、前記動画像信号に係る動画像の複雑度を算出する複雑度算出手段と、前記符号化手段から出力された符号化動画像信号の発生符号量を算出する符号量算出手段と、前記複雑度算出手段により算出された複雑度の情報を用いて前記符号化手段が符号化を行う第１の符号化モードと、前記複雑度の情報を用いることなく前記符号化手段が符号化を行う第２の符号化モードとを切り替える符号化モード切り替え手段とを有し、前記符号化モード切り替え手段は、前記符号量算出手段の出力に基づいて前記第１の符号化モードと第２の符号化モードとを切り替えることを特徴とする。
また、本発明の画像処理装置のその他の特徴とするところは、入力された動画像信号を符号化する符号化手段と、前記符号化手段から出力される符号化動画像信号の符号化レートを複数のレートの間で設定するレート設定手段と、前記動画像信号に係る動画像の複雑度を算出する複雑度算出手段と、前記符号化手段から出力された符号化動画像信号の発生符号量を算出する符号量算出手段と、前記複雑度算出手段により算出された複雑度の情報を用いて前記符号化手段が符号化を行う第１の符号化モードと、前記複雑度の情報を用いることなく前記符号化手段が符号化を行う第２の符号化モードとを切り替える符号化モード切り替え手段とを有し、前記符号化モード切り替え手段は、前記レート設定手段により設定された符号化レート、前記複雑度算出手段により算出された複雑度の情報及び前記符号量算出手段により算出された発生符号量に基づいて前記第１の符号化モードと第２の符号化モードとを切り替えることを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】